(57)【特許請求の範囲】
【請求項１】
デジタル信号を受信する受信装置であって、
前記デジタル信号を受信し所定の信号を取り出すチューナと、
前記チューナにて受信した放送信号に含まれる画像信号を表示する表示手段と、
電話回線を介した通信を制御する通信制御手段と、
前記電話回線を介した着呼があった場合に呼出し音を消音するか消音しないかを制御する消音制御手段と、を備え、
前記消音制御手段は、所定の番組を前記表示手段が表示している期間には、前記電話回線を介した着呼に対しての呼出し音を消音するように制御することを特徴とする受信装置。
【請求項２】
前記受信装置は、前記所定の番組を前記表示手段が表示している期間に前記電話回線を介した着呼があった場合に留守番電話機能を実行する留守番電話手段を備えることを特徴とする請求項１に記載の受信装置。
【請求項３】
前記所定の番組とは有料の番組であることを特徴とする請求項１または２に記載の受信装置。
【請求項４】
前記有料の番組とは、ペイパービューの番組であることを特徴とする請求項３に記載の受信装置。
【請求項５】
前記受信装置は、
前記電話回線を介しての通信であって発信した通信端末の電話番号を示す発信電話番号を検出する発信電話番号検出手段と、
前記発信電話番号検出手段で検出した電話番号を前記表示手段において前記画像信号とともに表示するように制御する表示制御手段と、
前記発信電話番号検出手段で検出した発信電話番号を複数記憶できる発信電話番号記憶手段と、
を備えることを特徴とする請求項１ないし４のいずれかに記載の受信装置。
【請求項６】
前記表示制御手段は、前記発信電話番号記憶手段に記憶した発信電話番号のうち、複数の発信電話番号を上下に並んだ状態で表示するように表示制御することを特徴とする請求項５に記載の受信装置。
【請求項７】
前記受信装置は、
前記発信電話番号の関連情報を入力する入力手段と、
前記入力手段によって入力された関連情報を記憶する関連情報記憶手段と、を備え、
前記表示制御手段は、前記発信電話番号検出手段によって発信電話番号を検出した際に、該発信電話番号に関連した関連情報を前記関連情報記憶手段に記憶された関連情報の中から選択し、検出した発信電話番号と選択した前記関連情報の両方あるいは一方を表示するように表示制御することを特徴とする請求項５または６に記載の受信装置。
【請求項８】
前記受信装置は、
前記上下に並んだ状態で表示された複数の発信電話番号の中から一つを選択するために用いられる入力手段と、
前記入力手段により選択された一つの発信電話番号に対して発呼を行う発呼手段と、を備えることを特徴とする請求項６に記載の受信装置。
【発明の詳細な説明】
【０００１】
【発明の属する技術分野】
本発明は、主に有料で視聴するデジタル放送を受信するデジタル放送受信装置にかかり、特に、受信装置に接続する電話回線のサービスに対応した受信装置に関するものである。
【０００２】
【従来の技術】
近年、衛星やケーブルを用い、多チャンネルテレビのデジタル放送が行われるようになった。このデジタル放送は、画像信号をデジタル化したのちスクランブル処理を施して送信するため、この放送を視聴するには、専用の受信装置と視聴するための契約が必要となる。また、放送の中にはいわゆる有料放送などもあるため、通常、この受信装置には電話回線を接続し、課金情報を課金センターなどとやり取りするようになっている。このようなデジタル放送に対応した受信装置については、例えば特開平６−１３２９１６に詳しく述べられている。
【０００３】
【発明が解決しようとする課題】
本発明の目的は、所定の番組をみている期間に電話の呼出し音で邪魔されることを防ぐ受信装置を提供することである。
【０００４】
【課題を解決するための手段】
そこで本発明では、第１に電話の着呼時に回線から送られてくる発信電話番号を検出する発信電話番号検出手段と、この発信電話番号に対応する名前などの関連情報を入力する手段と、着呼した時間を計測する時計手段などを設け、発信電話番号検出手段で検出した電話番号と、この番号に関連した情報と、着呼した時間の全部もしくは一部を視聴中のテレビ画面に表示できるようにする。
【０００５】
第２は、さらに、検出した電話番号や時間を記憶しておく記憶手段を設け、留守中などで応対できなかった電話の発信電話番号などをまとめて表示できるようにする。
【０００６】
第３は、さらに、着呼に対して呼出し音を鳴らさないようにする非鳴動手段を設け、呼出し音をならさないで検出した発信者電話番号や関連情報を表示したり、あるいは表示は行なわないで発信者電話番号の検出とその記憶を行なうようにする。
【０００７】
第４は、さらに、特定の番組やチャンネルを指示する指示手段を設け、指示された番組やチャンネルを視聴しているときには、呼出し音をならさないで検出した発信電話番号や関連情報を表示したり、あるいは表示は行なわないで発信電話番号の検出と記憶を行なうようにする。
【０００８】
第５は、特定の番組やチャンネルを指示する指示手段と、着呼に対して呼出し音を鳴らさないようにする非鳴動手段を設け、特定の番組やチャンネルを視聴しているときには、呼出し音を鳴らさないようにする。
【０００９】
第６は、特定の番組やチャンネルを指示する指示手段と、留守録手段を設け、特定の番組やチャンネルを視聴している時には、自動的に留守録手段が動作するようにする。
【００１０】
第７は、特定の番組やチャンネルを指示する指示手段と、回線を留守番電話機などの電話機に接続する電話接続手段を設け、特定の番組やチャンネルを視聴している時には、回線を留守番電話などの電話機に接続するようにする。
【００１１】
【発明の実施の形態】
本発明を実施例をもとに、詳細に説明する。
【００１２】
図１は、本発明によるデジタル放送受信装置の一実施例を示すブロック構成図である。
【００１３】
図において、１０１はデジタル放送の受信端子で、衛星放送の場合にはパラボラアンテナなどで受信した信号を入力する。ＣＡＴＶの場合には、ケーブルをこの端子に接続する。１０２は番組の選局を行うチューナ部、１０３は選局した番組のスクランブルされたデジタルデータを解除（デスクランブル）したり、圧縮されたデジタル画像データをデコードして、非圧縮の画像データに戻すデコーダ部、１０４はリモコン（図示せず）からの信号に従ってチューナ部１０２の選局を制御したり、スクランブル状態や課金情報などを検出してデコーダ部１０３の制御や、装置全体の制御を行う全体制御部、１０５は課金センター（図示せず）などと通信回線を介して課金情報などのやり取りを行なう通信制御部、１０６は電話回線などの通信回線を接続する回線端子、１０７は本発明の重要な要素の一つである発信電話番号検出部で、回線を通して送られてくる発信電話の電話番号を検出する。１０８はデコーダ部１０３でデコードした画像データと、発信電話番号検出部１０７で検出した発信電話番号などを一緒に表示したりするための表示制御部、１０９は画像信号の出力端子で、いわゆるＮＴＳＣなどのアナログビデオ信号やデジタル画像データを出力する。１１０は表示器であり、ブラウン管や液晶表示器などである。なお、この表示器１１０は図のように出力端子１０９に外付けする構成としてもよいし、表示器の中に本装置を内蔵するような構成としてもよい。
【００１４】
図１の実施例は、かかってきた電話を取る前に相手の電話番号を知ることができる発信電話番号表示サービスに対応したデジタル放送受信装置を提供するものであり、電話の着呼があった場合に、回線端子１０６に接続された電話回線から送られてくる発信電話番号を示す信号を発信電話番号検出部１０７で検出して、その検出した電話番号などを表示器１１０に表示するわけである。
【００１５】
表示器１１０への表示例を図２に示す。（１）は、発信電話番号検出部１０７で検出した発信者電話番号を表示部１０８で見ている画面の一部に表示した場合である。図では、検出した電話番号のほか、着呼を示す「電話です。」などのメッセージなども同時に表示している。（２）は予め発信電話番号に対応した発信電話側の名前やニックネームなどの関連情報を入力しておき、発信電話番号を検出した際には、それを自動的に検索してその名前や、番号と名前などを画面の一部に表示した例である。図では、予め電話番号０３−１１１１−２２２２は「日立」と登録しておき、この番号を検出した場合の表示例を示している。（３）は、さらに、関連情報として予め発信電話番号に対応した発信者の顔やイラストなどを入力しておき、発信電話番号を検出した際には、それを自動的に検索してその名前や番号と共に顔などの画像を画面の一部に子画面として表示した例である。ここに示した表示例のほか、その時見ていたテレビ画面を一時的に小さく子画面にしたり、テロップのようにして画面の一部に表示してもよい。
【００１６】
図３は、図２の（２）と（３）を実現する一実施例を示すブロック構成図である。図において、図１と同一部分は同一番号であり、３０１は発信者電話番号とそれに対応した関連情報である発信者の名前や画像などを記憶しておくメモリ、３０２は発信電話番号やそれに対応した発信者の名前や画像などを入力する入力部、３０３は発信者電話番号検出部１０７で検出した電話番号に該当する名前などを検索しやすいようメモリ３０１に記憶したり、検索を行なったりする入力制御部である。入力部３０２は、数字や文字を入力する場合にはキーボードのようなものでもよいし、チャンネルを選択するワイヤレスリモコンを利用できるようにしてもよい。画像を入力する場合には、ビデオカメラが接続できるようにしてもよいし、デジタルスチルカメラのメモリカードなどが直接接続できるようにしてもよい。
【００１７】
図４は、さらに別の実施例で、図において図３と同一部分は同一符号であり、４０１は電話のかかってきた時間などを計測する時計、４０２は発信電話番号検出部１０７で検出した発信電話番号と時計４０１で計測した時間などを記憶するメモリ、４０３は回線のフック状態を検出するフック検出部、４０４はいろいろな指示を与える指示部で、テンキーなどのボタンでもよいし、選局などを行なうワイヤレスリモコンなどを用いてもよい。この実施例では、例えば着呼があり発信電話番号を検出した場合には、まず、発信電話番号検出部１０７で検出した発信電話番号と時計４０１で計測したその着呼した時間をメモリ４０２に記憶する。次に、この着呼に対して電話機（図示せず）をとって応答したかどうかをフック検出部４０３で検出し、例えば応答した場合には、記憶しておいた発信電話番号と着呼した時間を消去する。この動作を繰返し、あとで指示部４０４で支持を与えるとメモリ４０２に記憶した番号と時間を表示器１１０にまとめて表示することにより、何処から電話がかかってきたかが判る。これにより、留守番電話と同様の使い方ができる。特にこの場合には、普通の留守番電話のように留守番モードに切り替えなくてもかかってきた電話の電話番号を後で知ることができる。また、電話機で応答した場合でも、記憶した番号や時間を消去しないようにすれば、かかってきた電話の記録を取っておくことができる。
【００１８】
図５は、この記憶した時間と発信電話番号をまとめて画面に示した例である。（１）では、時間と発信電話番号のみを示しているが、図２の構成のように発信電話番号に対応した関連情報を入力する入力部とその入力制御部を設け、時間と相手の名前などの関連情報などを表示するようにしてもよい。（２）は、カーソルをさらに表示できるようにした例で、受信装置のリモコンを使ってこのカーソルを動かし、例えばリモコンに発信ボタンなどを設けておき、このボタンを押すことにより、通信制御部１０５によって対応する電話番号をダイヤリングするようにしてもよい。
【００１９】
なお、フック検出部４０３は、電話機が本受信装置と並列に接続されているような場合には、例えば回線間の電圧を監視することによって検出することができる。通常、オンフック状態では回線間に４８Ｖが供給されているが、電話機などでオフフック状態にすると、この回線間の電圧は数Ｖ程度になるので、これを検出することによってフック状態を検出することができる。また、図６は、本装置に電話機接続の端子を設けた場合のフック検出部を示したものであり、図において図４と同一部分は同一符号であり、６０１は回線の接続を切り替える切り替えスイッチ、６０２は電流検出によるフック検出部、６０３は電話機の接続端子、６０４は外部に接続した電話機である。この場合には、発信電話番号を検出するまではスイッチ６０１をａ側に接続しておき、番号検出後はｂ側に接続する。この状態で電話機６０４の受話器を取って回線をオフフック状態にすると、回線には電流が流れるのでこの電流をフック検出部６０２で検出することによりフック状態を検出できる。
【００２０】
さて、図６のように切り替えスイッチ６０１を設け、その一方に電話機を接続する構成の場合、切り替えスイッチ６０１を常にａ側に接続しておけば、電話がかかってきても電話機６０４のベルが鳴ることはない。すなわち、この切り替えスイッチ６０１によって接続した電話機６０４を非鳴動の状態にできる。そこで、指示部４０４で特定の時間を指示しておくことにより、その時間の間は接続した電話機６０４が鳴らないようにし、その間にかかってきた電話に対しては、その発信電話番号をメモリ４０２に記憶しておくようにすることもできる。さらに、指示部４０４で特定のチャンネルや番組（例えば、いわゆるペイパービュー番組やチャンネル、特定の視聴料の高い映画など）を指示しておくことにより、そのチャンネルや番組を見ているときは同様に電話機６０４が鳴らないようにしておき、その間の電話に対してはその発信電話番号を検出してメモリ４０２に記憶しておくことができる。このようにすることにより、電話にじゃまされることなく、放送を視聴することができる。
【００２１】
図７は、本発明のさらに別の実施例で、留守番電話機能を設けたものである。図において、図４と同一部分は同一符号であり、７０１は電話回線の音声を録音する録音部で、磁気テープを用いてもよいし、ＤＰＣＭ方式やＣＥＬＰ方式などでデジタル圧縮して半導体メモリなどに記憶するようにしてもよい。この構成では、指示部４０４で留守番モードを指示しておけば、通常の留守番電話と同様に電話の内容を録音部７０１に録音しておくことができる。また、指示部４０４に特定のチャンネルや番組（例えば、いわゆるペイパービュー番組やチャンネル、特定の視聴料の高い映画など）を指示しておくことにより、そのチャンネルや番組を見ているときには自動的に留守番モードになり、録音部７０１にかかってきた電話の内容を録音するようにできる。なお、録音部７０１に録音するのと共に発信電話番号検出部１０７で検出した発信電話番号を録音と関連付けてメモリ４０２あるいは録音部７０１に記憶しておいてもよい。
【００２２】
図８は、通常の留守番電話機を外部に接続する場合の実施例である。図において、図４と同一部分は同一符号であり、８０１は回線の接続を切り替える切り替えスイッチ、８０２は留守番電話機への直流供給をオンオフするスイッチで、スイッチ８０１と連動して動作し、スイッチ８０１がａ側に接続されるときにはスイッチ８０２がオンする。８０３は電話機を接続する接続端子、８０４は接続した留守番電話機、８０５は接続端子８０３に接続した電話機のフック状態を検出するフック検出部、８０６は直流供給部である。この場合、通常はスイッチ８０１をａ側に、スイッチ８０２をオン状態にしておく。この状態で電話がかかってくると、発信電話番号検出部１０７で発信電話番号を検出して画面に表示する。これに対して留守番電話機８０４の受話器をとりオフフック状態にすると、留守番電話機８０４には直流供給部８０６から直流が供給されているので、フック検出部８０５にも電流が流れ、これをフック検出部８０５で検出し、スイッチ８０２をオフすると共にスイッチ８０１をｂ側に切り替える。これによって、通常の通話ができる。次に、指示部４０４で特定のチャンネルや番組（例えば、いわゆるペイパービュー番組やチャンネル、特定の視聴料の高い映画など）を指示しておくことにより、そのチャンネルや番組を見ているときには強制的にスイッチ８０１をｂ側に接続し、留守番電話機８０３の留守番電話機能が動作するようにすることによって、テレビの視聴を電話によってじゃまされることがなくなる。また、図８では、接続端子８０３に留守番電話機８０４ではなく普通の電話機を接続しておき、切り替えスイッチ８０１をａ側にスイッチ８０２をオン状態にしておけば、着呼があっても電話機が鳴動しない。この状態で着呼があった場合には、その着呼や相手の発信電話番号などを表示器１１０の画面あるいは音声でしらせ、これに対して受話器をとったらスイッチ８０１をｂ側に切り替えて通話できるようにしてもよい。本受信装置が電源オン時には、ずっとこのような動作になるようにしてもよいし、既に述べたように特定の番組やチャンネルを視聴しているときに、自動的にこのような動作になるようにしてもよいし、あるいはリモコンなどでこの動作モードがオンオフできるようにしてもよい。なお、スイッチ８０１がａ側、スイッチ８０２がオン状態で、接続端子８０３に接続された留守番電話機８０４や電話機で電話をかける場合には、受話器をとるとフック検出部８０５に直流が流れるので、これを検出したらスイッチ８０１をａ側に、スイッチ８０２をオフにすればよい。
【００２３】
図９は、本発明のさらに別の実施例である。図において、９０１は多重化されたデジタル放送の受信端子で、衛星放送の場合にはパラボラアンテナなどで受信した信号を入力する。ＣＡＴＶの場合には、ケーブルをこの端子に接続する。９０２は番組の選局を行うチューナ部、９０３は選局した番組のスクランブルされたデジタルデータを解除（デスクランブル）したり、圧縮されたデジタル画像データをデコードして、非圧縮の画像データに戻すデコーダ部、９０４はデコーダ部９０３で得られた画像データをアナログのビデオ信号に変換したり、検出した発信電話番号などを一緒に表示したりするための表示制御部、９０５は表示制御部９０４からのビデオ信号を出力する画像信号の出力端子で、デジタルの画像データを出力するようにしてもよい。９０６は電話回線などの通信回線を接続する回線端子、９０７は外部に電話機などの通信端末を接続する端末接続端子、９０８は外部に接続した電話機などの通信端末、９０９は回線端子９０６に接続する回線をモデムに接続したり通信端末９０８に接続したりするなどの制御や通信端末９０８のフック状態などを検出する回線接続制御装置（ＮＣＵ：Ｎｅｔｗｏｒｋ  Ｃｏｎｔｒｏｌ  Ｕｎｉｔ）、９１０は通信制御を行なうモデム、９１１は留守録などを行なう留守録部で、音声を圧縮して記憶するようにＡ／Ｄ変換器や圧縮伸長回路、メモリなどで構成される。９１２は装置全体の各種操作を行なうリモコンの受信制御などを行なうリモコンＩ／Ｆ、９１３は操作を行なうリモコン装置で、図ではワイヤレスタイプを示したが、ワイヤードタイプでもよいし、キーボードのようなものなどでもよい。９１４は装置全体の制御を司るマイクロプロセッサ（ＣＰＵ）、９１５はＣＰＵ９１４の制御プログラムなどを格納するリードオンリメモリ（ＲＯＭ）、９１６はＣＰＵ９１４の動作に必要なワークメモリとして使用したり、発信電話番号に関連した関連情報などを記憶するメモリで、ＳＲＡＭ（Ｓｔａｔｉｃ  Ｒａｎｄ０ｍ  Ｍｅｍｏｒｙ）などで構成される。場合によっては電池などでバックアップしてもよい。９１７はアドレスバスやデータバスなどで構成されるシステムバスである。本実施例では、ＣＰＵ９１４の制御により、チューナ部９０２で選局したり、デコーダ部９０３の制御などを行なう。発信電話番号は、モデム９１０を用いて検出する。発信電話番号に対応する名前などの関連情報は、リモコン装置９１３を使って入力する。本実施例の動作は、既に説明した図１や、図３、図４、図６、図７、図８とほぼ同様である。なお、図９では表示器を出力端子９０５に外付けするセットトップボックスの構成としてあるが、もちろん表示器の中に本装置を内蔵するような構成としてもよい。
【００２４】
【発明の効果】
本発明によれば、所定の番組をみている期間に電話の呼出し音で邪魔されることを防ぐ受信装置を提供することが可能である。
【図面の簡単な説明】
【図１】本発明の一実施例によるデジタル放送受信装置のブロック図。
【図２】本発明による画面表示例を示す図。
【図３】本発明による別の実施例によるデジタル放送受信装置のブロック図。
【図４】本発明によるさらに別の実施例によるデジタル放送受信装置のブロック図。
【図５】本発明による別の画面表示例を示す図。
【図６】本発明によるフック検出部を示すブロック図。
【図７】本発明によるさらに別の実施例によるデジタル放送受信装置のブロック図。
【図８】本発明によるさらに別の実施例によるデジタル放送受信装置のブロック図。
【図９】本発明によるさらに別の実施例によるデジタル放送受信装置のブロック図。
【符号の説明】
１０１、９０１…受信端子、１０２、９０２…チューナ部、１０３、９０３…デコーダ部、１０４…全体制御部、１０５…通信制御部、１０６、９０６…回線端子、１０７…発信電話番号検出部、１０８、９０４…表示制御部、１０９、９０５…出力端子、１１０…表示器、３０１、４０２…メモリ、３０２…入力部、３０３…入力制御部、４０１、９１８…時計、４０３…フック検出部、４０４…指示部、６０１、８０１…切り替えスイッチ、６０２…フック検出部、６０３…電話機接続端子、６０４…電話機、７０１…録音部、８０２…スイッチ、８０５…フック検出部、９０７…通信端末接続端子、９０８…通信端末、９０９…ＮＣＵ、９１０…モデム、９１１…留守録部、９１２…リモコンＩ／Ｆ、９１３…リモコン装置、９１４…ＣＰＵ、９１５…ＲＯＭ、９１６…メモリ
【図１】
0003876470.tif 000002
【図２】
0003876470.tif 000003
【図３】
0003876470.tif 000004
【図４】
0003876470.tif 000005
【図５】
0003876470.tif 000006
【図６】
0003876470.tif 000007
【図７】
0003876470.tif 000008
【図８】
0003876470.tif 000009
【図９】
0003876470.tif 000010